(57)【要約】【課題】情報処理装置をより低消費電力なものとすること。【解決手段】情報処理装置１００は、状態判定部１１ｈを備える。状態判定部１１ｈは、オペレーティングシステムによる情報処理装置１００の機能を実行する第１の実行処理と、動作中のオペレーティングシステムの動作を止め、当該情報処理装置１００の電源をＯＮ／ＯＦＦすることなく特定プログラムによる情報処理装置１００の特定の機能を実行する第２の実行処理と、を切り替える。【選択図】図２
2018136993.tif 000002
【特許請求の範囲】
【請求項１】
第１の表示部と、前記第１の表示部の上層に積層され、電位を掛けることにより光を透
過可能な第２の表示部と、を備えた情報処理装置であって、
オペレーティングシステムによる当該情報処理装置の機能を実行する第１の実行処理と
、
特定プログラムによる当該情報処理装置の特定の機能を実行する第２の実行処理と、
当該情報処理装置の電源のＯＦＦからＯＮへの動作を伴うことなく、前記第１の実行処
理と前記第２の実行処理を切り替える切替処理と、を実行し、
前記第１の表示部は前記第１の実行処理により表示制御され、
前記第２の表示部は前記第２の実行処理により表示制御され、前記第１の実行処理によ
る前記第１の表示部への表示制御中は、前記第２の実行処理が、前記第２の表示部に電位
を掛けて当該第２の表示部を透過状態にして、前記第１の表示部による表示を視認可能と
することを特徴とする情報処理装置。
【請求項２】
前記第２の実行処理は、前記第１の実行処理に比べ、低消費電力で実行可能な処理であ
ることを特徴とする請求項１に記載の情報処理装置。
【請求項３】
前記切替処理は、当該情報処理装置の状態判定を行い、当該状態判定結果に基づいて、
前記第１の実行処理と前記第２の実行処理を切り替えることを特徴とする請求項１または
２に記載の情報処理装置。
【請求項４】
当該情報処理装置は電池で動作し、
前記状態判定は、当該情報処理装置の前記電池の電池残量判定であり、
前記切替処理は、
電池残量が所定値以上の場合は、前記第１の実行処理により当該情報処理装置の機能を
実行し、
電池残量が前記所定値以上でない場合は、前記第２の実行処理により当該情報処理装置
の特定の機能を実行することを特徴とする請求項３に記載の情報処理装置。
【請求項５】
前記状態判定は、当該情報処理装置を保持するユーザの動作状態判定であり、
前記切替処理は、ユーザの動作状態判定結果に基づいて、前記第１の実行処理と前記第
２の実行処理とを切り替えることを特徴とする請求項３または４に記載の情報処理装置。
【請求項６】
前記切替処理は、
ユーザの動作状態判定によりユーザが静止していると判定された場合は、前記第１の実
行処理により当該情報処理装置の機能を実行し、
ユーザが静止していないと判定された場合は、前記第２の実行処理により当該情報処理
装置の特定の機能を実行することを特徴とする請求項５に記載の情報処理装置。
【請求項７】
前記切替処理は、
ユーザの動作状態判定によりユーザが当該情報処理装置を見ていると判定された場合は
、前記第１の実行処理により当該情報処理装置の機能を実行し、
ユーザが当該情報処理装置を見ていないと判定された場合は、前記第２の実行処理によ
り当該情報処理装置の特定の機能を実行することを特徴とする請求項５または６に記載の
情報処理装置。
【請求項８】
当該情報処理装置は外部機器とデータ通信を行い、
前記第１の実行処理は、前記外部機器から受信したデータをデータ処理することを特徴
とする請求項１から７のいずれか１項に記載の情報処理装置。
【請求項９】
前記データ処理は、前記外部機器から受信したデータを当該情報処理装置のユーザに通
知することを特徴とする請求項８に記載の情報処理装置。
【請求項１０】
前記第１の実行処理は、前記外部機器から受信したデータを前記第１の表示部に表示す
ることによりユーザに通知することを特徴とする請求項９に記載の情報処理装置。
【請求項１１】
前記特定の機能は時計機能であることを特徴とする請求項１から１０のいずれか１項に
記載の情報処理装置。
【請求項１２】
前記第２の実行処理は、前記第２の表示部を制御して現在時刻を当該第２の表示部で表
示することにより、前記時計機能を実行することを特徴とする請求項１１に記載の情報処
理装置。
【請求項１３】
当該情報処理装置はＲＴＣ（Ｒｅａｌ  Ｔｉｍｅ  Ｃｌｏｃｋ）を備え、
前記第２の実行処理は所定間隔で前記ＲＴＣより現在時刻を取得し、取得した現在時刻
を前記第２の表示部で表示することにより、前記時計機能を実行することを特徴とする請
求項１２に記載の情報処理装置。
【請求項１４】
前記第２の表示部はセグメント表示のＰＮ（Ｐｏｌｙｍｅｒ  Ｎｅｔｗｏｒｋ）液晶表
示部であることを特徴とする請求項１から１３のいずれか１項に記載の情報処理装置。
【請求項１５】
当該情報処理装置は第１のＣＰＵと第２のＣＰＵとを備え、
前記オペレーティングシステムは前記第１のＣＰＵで動作し、
前記特定プログラムは前記第２のＣＰＵで動作することを特徴とする請求項１から１４
のいずれか１項に記載の情報処理装置。
【請求項１６】
前記切替処理は、前記第１のＣＰＵへの電源供給を停止することにより、前記オペレー
ティングシステムの動作を止めることを特徴とする請求項１５に記載の情報処理装置。
【請求項１７】
前記第２のＣＰＵの消費電力は、前記第１のＣＰＵの消費電力より少ないことを特徴と
する請求項１５または１６に記載の情報処理装置。
【請求項１８】
当該情報処理装置はＣＰＵを備え、
前記オペレーティングシステムと前記特定プログラムは前記ＣＰＵで動作し、
前記切替処理は、前記オペレーティングシステムの動作を止め、前記特定プログラムに
よる当該情報処理装置の特定の機能の実行に切り替える操作をトリガとして起動する割込
み処理プログラムが、切り替え時点の前記ＣＰＵのプログラムカウンタの値を、前記特定
プログラムの先頭アドレスに書き換えることにより、前記オペレーティングシステムの動
作を止め、前記特定プログラムが動作するように制御することを特徴とする請求項１から
１４のいずれか１項に記載の情報処理装置。
【請求項１９】
当該情報処理装置は、ウェアラブル型情報処理装置であることを特徴とする請求項１か
ら１８のいずれか１項に記載の情報処理装置。
【請求項２０】
当該情報処理装置は、腕時計型情報処理装置であることを特徴とする請求項１９に記載
の情報処理装置。
【請求項２１】
第１の表示部と、前記第１の表示部の上層に積層され、電位を掛けることにより光を透
過可能な第２の表示部と、を備えた情報処理装置の制御方法であって、
オペレーティングシステムによる当該情報処理装置の機能を実行する第１の実行処理と
、
特定プログラムによる当該情報処理装置の特定の機能を実行する第２の実行処理と、
当該情報処理装置の電源のＯＦＦからＯＮへの動作を伴うことなく、前記第１の実行処
理と前記第２の実行処理を切り替える切替処理と、を含み、
前記第１の表示部は前記第１の実行処理により表示制御され、
前記第２の表示部は前記第２の実行処理により表示制御され、前記第１の実行処理によ
る前記第１の表示部への表示制御中は、前記第２の実行処理が、前記第２の表示部に電位
を掛けて当該第２の表示部を透過状態にして、前記第１の表示部による表示を視認可能と
することを特徴とする制御方法。
【請求項２２】
第１の表示部と、前記第１の表示部の上層に積層され、電位を掛けることにより光を透
過可能な第２の表示部と、を備えた情報処理装置を制御するコンピュータに、
オペレーティングシステムによる当該情報処理装置の機能を実行する第１の実行処理と
、
特定プログラムによる当該情報処理装置の特定の機能を実行する第２の実行処理と、
当該情報処理装置の電源のＯＦＦからＯＮへの動作を伴うことなく、前記第１の実行処
理と前記第２の実行処理を切り替える切替処理と、を実行させ、
前記第１の表示部は前記第１の実行処理により表示制御され、
前記第２の表示部は前記第２の実行処理により表示制御され、前記第１の実行処理によ
る前記第１の表示部への表示制御中は、前記第２の実行処理が、前記第２の表示部に電位
を掛けて当該第２の表示部を透過状態にして、前記第１の表示部による表示を視認可能と
することを特徴とするプログラム。
【発明の詳細な説明】
【技術分野】
【０００１】
本発明は、情報処理装置、制御方法及びプログラムに関する。
【背景技術】
【０００２】
従来、スマートウォッチ等と呼ばれるウェアラブルな情報処理装置が知られている。
スマートウォッチは、例えば腕時計の形態として構成され、スマートフォンに類する機能を備えている。
したがって、ユーザは、スマートウォッチによって、スマートフォンのように電子メールの内容を確認したり、腕時計のように時刻を確認したりすることができる。
なお、スマートウォッチに関する技術は、例えば、特許文献１に開示されている。
【先行技術文献】
【特許文献】
【０００３】
【特許文献１】特開２００６−１０１５０５号公報
【発明の概要】
【発明が解決しようとする課題】
【０００４】
しかしながら、スマートウォッチは、スマートフォンに類する機能を実現するためにオペレーティングシステム（ＯＳ）を備えているため、腕時計に比べて消費電力が大きいものとなっていた。
したがって、スマートフォンに類する機能を利用しない場合でも無用な電力を消費したり、バッテリによる駆動時間が腕時計に比べて短くなる等、ユーザにとって利便性が十分なものではなかった。
【０００５】
本発明は、このような状況に鑑みてなされたものであり、情報処理装置をより低消費電力なものとすることを目的とする。
【課題を解決するための手段】
【０００６】
上記目的を達成するため、本発明の一態様の情報処理装置は、
第１の表示部と、前記第１の表示部の上層に積層され、電位を掛けることにより光を透
過可能な第２の表示部と、を備えた情報処理装置であって、
オペレーティングシステムによる当該情報処理装置の機能を実行する第１の実行処理と
、
特定プログラムによる当該情報処理装置の特定の機能を実行する第２の実行処理と、
当該情報処理装置の電源のＯＦＦからＯＮへの動作を伴うことなく、前記第１の実行処
理と前記第２の実行処理を切り替える切替処理と、を実行し、
前記第１の表示部は前記第１の実行処理により表示制御され、
前記第２の表示部は前記第２の実行処理により表示制御され、前記第１の実行処理によ
る前記第１の表示部への表示制御中は、前記第２の実行処理が、前記第２の表示部に電位
を掛けて当該第２の表示部を透過状態にして、前記第１の表示部による表示を視認可能と
することを特徴とする。
【発明の効果】
【０００７】
本発明によれば、情報処理装置をより低消費電力なものとすることができる。
【図面の簡単な説明】
【０００８】
【図１】本発明の一実施形態である情報処理装置の概略図である。
【図２】本実施形態の情報処理装置の概略構成を示すブロック図である。
【図３】情報処理装置が実行する動作管理処理の流れを説明するフローチャートである。
【図４】動作管理処理が実行される際の情報処理装置の表示画面例を示す模式図であり、図４（Ａ）は第１表示部にＯＳの処理による表示画面が表示された状態を示す図、図４（Ｂ）は第２表示部に特定のプログラムの処理による表示画面が表示された状態を示す図である。
【発明を実施するための形態】
【０００９】
以下、本発明の実施形態について、図面を用いて説明する。
本実施形態に係る情報処理装置は、スマートウォッチ等のウェアラブルな情報処理装置として構成される。また、情報処理装置は、第１ＣＰＵ（Ｃｅｎｔｒａｌ  Ｐｒｏｃｅｓｓｉｎｇ  Ｕｎｉｔ）と第２ＣＰＵとを備え、第１ＣＰＵによって第１の実行処理であるオペレーティングシステム（ＯＳ）の処理を実行すると共に、第２ＣＰＵによって第２の実行処理である特定のプログラム（例えば、ＯＳの管理を必要としないプログラムや、他のＯＳ等）の処理を実行する。
そして、情報処理装置は、第１ＣＰＵにおけるＯＳの動作を停止（シャットダウン等）した状態で、当該情報処理装置の電源をＯＮ／ＯＦＦすることなく第２ＣＰＵにおける特定のプログラムの動作を継続することが可能である。
即ち、本実施形態に係る情報処理装置が備える、第１ＣＰＵにおけるＯＳの動作を停止（シャットダウン等）した状態で、当該情報処理装置の電源をＯＮ／ＯＦＦすることなく第２ＣＰＵにおける特定のプログラムの動作を継続することが可能な機能は、パーソナルコンピュータ等が電源立ち上げ時にブートセレクタによって、立ち上げるＯＳを切り替える機能とは全く異なるものである。
このような動作を可能とするため、情報処理装置においては、第１ＣＰＵによって制御可能なハードウェアと、第２ＣＰＵによって制御可能なハードウェアと、第１ＣＰＵ及び第２ＣＰＵによって制御可能なハードウェアとが予め定められている。本実施形態に示す例では、情報処理装置は、積層して設置された第１表示部と第２表示部とを備え、第１ＣＰＵによって第１表示部を制御可能であると共に、第１ＣＰＵにおけるＯＳの動作が停止した状態でも、第２ＣＰＵによって第２表示部を制御可能である。また、第１ＣＰＵにおけるＯＳの動作が停止した状態で、第２ＣＰＵにおける第２表示部の制御を可能とするため、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のハードウェアは、第１ＣＰＵ及び第２ＣＰＵのいずれからの制御も可能となっている。
このような構成により、第１ＣＰＵによるプログラムの実行によってスマートフォンに類する機能を実現し、第２ＣＰＵによるプログラムの実行によって腕時計の機能を実現することができる。そして、第１ＣＰＵによるＯＳの動作を停止することで、スマートフォンに類する機能による消費電力を削減し、腕時計の機能のみを動作させることができる。
したがって、情報処理装置をより低消費電力なものとすることができる。
【００１０】
［構成］
図１は、本発明の一実施形態である情報処理装置１００の概略図である。
図１に示すように、本実施形態の情報処理装置１００は、腕時計型をなしており、本体部１と、バンド部２と、を備えている。また、情報処理装置１００は、本体部１において表示部１６を備えている。この表示部１６は、第１表示部１６ａと第２表示部１６ｂとを有しており、具体的には、第１表示部１６ａの上に第２表示部１６ｂが積層された状態で形成されている。このため、表示部１６は、第１表示部１６ａの表示（例えば、気象情報の表示）に第２表示部１６ｂの表示（例えば、時計表示）を重ね合わせて表示することが可能となっている。また、図示は省略するが第２表示部１６ｂの上には操作部１９であるタッチパネルが設けられている。
【００１１】
図２は、本実施形態の情報処理装置１００の概略構成を示すブロック図である。
図２に示すように、情報処理装置１００は、第１ＣＰＵ１１と、第２ＣＰＵ１２と、ＲＯＭ１３と、ＲＡＭ１４と、記憶部１５と、表示部１６（第１表示部１６ａ及び第２表示部１６ｂ）と、第１表示部１６ａの表示を制御する第１表示制御部１７と、第２表示部１６ｂの表示を制御する第２表示制御部１８と、操作部１９と、センサ部２０と、ＲＴＣ（Ｒｅａｌ  Ｔｉｍｅ  Ｃｌｏｃｋ）部２１と、通信部２２と、電源部２３等を備えている。
【００１２】
第１ＣＰＵ１１は、各種演算処理を行い、ＯＳの処理（第１の実行処理）を実行することにより、情報処理装置１００におけるスマートフォンに類する機能を制御する。本実施形態において、第１ＣＰＵ１１は、通信部２２を介して受信した電子メールの着信や気象情報に関するメッセージの表示等、第１表示制御部１７に対する表示制御の指示を行ったり、その他、スマートフォンに類する機能として実装された各種機能に係る処理を行ったりする。なお、第１ＣＰＵ１１は、第２ＣＰＵ１２が第２表示部１６ｂに表示する腕時計の機能による表示内容と同様の表示内容を、第１表示部１６ａに表示することができる。
また、本実施形態において、第１ＣＰＵ１１は、ＲＴＣ部２１から所定タイミングで時刻信号を取得し、取得した時刻信号を第２ＣＰＵ１２に出力する。さらに、第１ＣＰＵ１１は、第１表示制御部１７に対して、第２ＣＰＵ１２から入力される時刻を表示制御する指示を行う
なお、第１ＣＰＵ１１の具体的構成については後述する。
【００１３】
第２ＣＰＵ１２は、特定のプログラムの処理（第２の実行処理）を実行することにより、第２表示制御部１８に対する表示制御の指示を行ったり、その他、腕時計の機能として実装された各種機能に係る処理を行ったりする。本実施形態において、第２ＣＰＵ１２は、第１ＣＰＵ１１から入力された時刻信号を基準として、時刻を計算したり、時刻、曜日あるいは日付の表示等、第２表示制御部１８に対する表示制御の指示を行ったりする。また、第２ＣＰＵ１２は、第１ＣＰＵ１１を介さず、直接、ＲＴＣ部２１から所定タイミングで時刻信号を取得可能であり、後述する第１ＣＰＵ１１におけるＯＳの動作をシャットダウンした状態では、第２ＣＰＵ１２は、直接、ＲＴＣ部２１から取得した時刻信号に基づいて時刻を計算することができる。また、第２ＣＰＵ１２は、計算した時刻を第１ＣＰＵ１１に出力する。第２ＣＰＵ１２が実行する特定のプログラムの処理（第２の実行処理）は、第１ＣＰＵ１１が実行するＯＳの処理（第１の実行処理）に比べて単純な動作であることから処理負荷が小さく、低消費電力で実行可能である。また、そのため、第２ＣＰＵ１２に要求されるハードウェアのスペックは、第１ＣＰＵ１１に比べて低いもので足りる。
なお、第２ＣＰＵ１２の具体的構成については後述する。
【００１４】
ＲＯＭ１３は、第１ＣＰＵ１１及び第２ＣＰＵ１２それぞれからデータの読み出しが可能であり、第１ＣＰＵ１１及び第２ＣＰＵ１２が実行する種々のプログラムや初期設定データを格納する。例えば、ＲＯＭ１３は、第１ＣＰＵ１１が実行するＯＳのプログラムやＯＳの管理下で実行される各種プログラム、あるいは、第２ＣＰＵ１２が実行する特定のプログラム（ここでは、腕時計の機能を実現する組み込み用プログラム）のプログラムを格納する。
【００１５】
ＲＡＭ１４は、第１ＣＰＵ１１及び第２ＣＰＵ１２それぞれからデータの読み出し及び書き込みが可能であり、第１ＣＰＵ１１及び第２ＣＰＵ１２に作業用のメモリ空間を提供し、作業用の一時データを記憶する。例えば、ＲＡＭ１４は、第１ＣＰＵ１１がＯＳを実行する際のシステム領域やワークエリアを提供したり、第２ＣＰＵ１２が特定のプログラムを実行する際の記憶領域を提供したりする。
【００１６】
記憶部１５は、第１ＣＰＵ１１及び第２ＣＰＵ１２それぞれからデータの読み出し及び書き込みが可能な不揮発性のメモリであり、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）である。記憶部１５には、スマートフォンに類する各種機能や腕時計の機能等において生成された各種データ（各種設定内容のデータ等）が記憶される。
【００１７】
表示部１６は、上述のように第１表示部１６ａと、第２表示部１６ｂと、を備えている。
第１表示部１６ａは、バックライトを有するＴＦＴカラー液晶パネルから構成され、後述する第１表示制御部１７の制御下にて各種情報を表示画面に表示する。
【００１８】
第１表示制御部１７は、表示用データを生成して第１表示部１６ａの表示画面に表示させる制御を行う。
本実施形態において、第１表示制御部１７は、例えば、第１ＣＰＵ１１からの表示指示に従って、電子メールの着信や気象情報に関するメッセージの表示データを生成し、第１表示部１６ａから出力させる。
【００１９】
第２表示部１６ｂは、部分的にまたは全体的に光を透過可能なＰＮ（Ｐｏｌｙｍｅｒ  Ｎｅｔｗｏｒｋ）液晶パネルから構成され、後述する第２表示制御部１８の制御下にて各種情報を表示画面に表示（ここではセグメント表示）する。
本実施形態において、第２表示部１６ｂであるＰＮ液晶パネルは、図１に示すように、上述した第１表示部１６ａであるＴＦＴカラー液晶パネルの表示画面上に積層されている。このＰＮ液晶パネルは、電位が掛けられていない部位では液晶分子が不規則に並び、光を反射するようになっている。つまり、この電位が掛けられていない部位において、ＰＮ液晶パネルによる表示がなされることとなる。一方、電位が掛けられた部位では、液晶分子が表示画面に対して垂直に整列するので、光を透過可能となっている。つまり、この電位が掛けられた部位では、上述のＴＦＴカラー液晶パネルからの光を透過可能となるので、当該ＰＮ液晶パネルを介して当該ＴＦＴカラー液晶パネルによる表示を視認することができる。即ち、本実施形態の表示部１６では、第１表示部１６ａによる表示に第２表示部１６ｂによる表示を重ね合わせた状態で表示することができるようになっている。
【００２０】
第２表示制御部１８は、表示用データを生成して第２表示部１６ｂの表示画面に表示させる制御を行う。
本実施形態において、第２表示制御部１８は、例えば、第２ＣＰＵ１２からの表示指示に従って、時刻画像の表示用データを生成し、第２表示部１６ｂから出力させる。
【００２１】
操作部１９は、第２表示部１６ｂの表示画面上に設けられた静電容量方式のタッチパネルである。操作部１９は、タッチパネル上におけるユーザのタッチ操作位置と操作内容とを検出して当該操作に応じた信号を発生させて、入力信号として第１ＣＰＵ１１に出力する。
【００２２】
センサ部２０は、地磁気センサ、ジャイロセンサ、３軸加速度センサ、気圧センサ、気温センサあるいはＧＰＳ（Ｇｌｏｂａｌ  Ｐｏｓｉｔｉｏｎｉｎｇ  Ｓｙｓｔｅｍ）等を利用した位置センサ等の各種センサを備えている。本実施形態において、センサ部２０の検出信号は、第１ＣＰＵ１１に出力される。なお、センサ部２０の検出信号を第２ＣＰＵ１２にも出力する構成とし、腕時計の機能の一部として、これらセンサの検出信号に基づく情報を表示することとしてもよい。
【００２３】
ＲＴＣ部２１は、水晶振動子等の発振素子を備え、情報処理装置１００の電源がオンとされていない間も、電源部２３からの電力供給または補助電源（一次電池等）からの電力供給によって、継続して時刻をカウントする。本実施形態において、ＲＴＣ部２１は、第１ＣＰＵ１１に対して、カウントした時刻を示す時刻信号を出力する。なお、ＲＴＣ部２１の時刻信号を第２ＣＰＵ１２に出力する構成としてもよい。
【００２４】
通信部２２は、Ｂｌｕｅｔｏｏｔｈ（登録商標）やＢＬＥ（Ｂｌｕｅｔｏｏｔｈ  Ｌｏｗ  Ｅｎｅｒｇｙ）（商標）あるいはＷｉ−Ｆｉ（Ｗｉｒｅｌｅｓｓ  Ｆｉｄｅｌｉｔｙ）等の無線通信機能を備え、他の電子機器（スマートフォン等）と通信を行う。
【００２５】
電源部２３は、情報処理装置１００の動作に係る電力を所定の電圧で供給する。電源部２３は、例えば、各種方式の電池（リチウム電池、ニッケル・水素充電池等）を具備している。本実施形態では、第１ＣＰＵ１１及び第２ＣＰＵ１２は、電源部２３から電力が供給される。
また、電源部２３は、電池残量を検出し、検出した電池残量を示す信号を第１ＣＰＵ１１に出力する。
【００２６】
次に、第１ＣＰＵ１１及び第２ＣＰＵ１２の具体的構成について説明する。
図２に示すように、第１ＣＰＵ１１は、ハードウェア構成として、プログラムカウンタ１１ａと、制御部１１ｂとを備えている。また、第１ＣＰＵ１１は、ＯＳのプログラムあるいは各種プログラム（後述する動作管理処理等）を実行することにより、時刻取得部１１ｃと、センサ情報取得部１１ｄと、表示処理部１１ｅと、連携処理部１１ｆと、通信処理部１１ｇと、状態判定部１１ｈとを構成する。
【００２７】
プログラムカウンタ１１ａは、第１ＣＰＵ１１内部に備えられるレジスタであり、次に実行されるプログラムが格納されたＲＯＭ１３のアドレスを記憶している。
制御部１１ｂは、第１ＣＰＵ１１内の各部（不図示のデコード回路や演算回路等）における動作タイミングや動作内容等、第１ＣＰＵ１１においてプログラムを実行するための動作を管理する。また、制御部１１ｂは、プログラムカウンタ１１ａに、次に実行されるプログラムが格納されたＲＯＭ１３のアドレスを逐次書き込む。
【００２８】
時刻取得部１１ｃは、ＲＴＣ部２１から所定タイミング（例えば起動時や時刻の調整時等）で時刻信号を取得する。そして、時刻取得部１１ｃは、取得した時刻信号を第２ＣＰＵ１２に出力する。また、時刻取得部１１ｃは、第２ＣＰＵ１２によって計算され、出力される時刻を取得する。
【００２９】
センサ情報取得部１１ｄは、センサ部２０に備えられた各種センサの検出信号を取得する。
表示処理部１１ｅは、各機能部が取得した情報や処理結果を表示する表示制御のための指示信号を第１表示制御部１７に出力する。
【００３０】
連携処理部１１ｆは、第１ＣＰＵ１１と第２ＣＰＵ１２との連携に関する処理を行う。具体的には、連携処理部１１ｆは、第１ＣＰＵ１１による処理と、第２ＣＰＵ１２による処理とが関連性を有する場合に、第１ＣＰＵ１１及び第２ＣＰＵ１２の一方を他方の動作に対応させる処理を行う。例えば、連携処理部１１ｆは、第１表示部１６ａによる表示と第２表示部１６ｂによる表示とが切り替えられる際に、第１表示部１６ａと第２表示部１６ｂとに一時的に同一の情報を重畳して表示させるように、第１ＣＰＵ１１と第２ＣＰＵ１２とが行う表示制御の指示を対応させる。
【００３１】
通信処理部１１ｇは、通信部２２を介して受信された情報をその情報に応じた各機能部に出力したり、各機能部から他の電子機器に送信される情報を通信部２２を介して送信したりする。例えば、通信処理部１１ｇは、通信部２２を介して、他の電子機器（ペアリングされたスマートフォン等）から電子メールの着信を通知する情報を受信した場合、受信した情報を表示処理部１１ｅに出力する。
【００３２】
状態判定部１１ｈは、情報処理装置１００における各種状態を判定し、判定結果に応じた処理を行う。例えば、状態判定部１１ｈは、センサ情報取得部１１ｄによって取得されたジャイロセンサ及び３軸加速度センサの検出信号に基づいて、情報処理装置１００が静止しているか（ユーザが静止している状態あるいはユーザの腕に装着されていない状態か）、ユーザが腕をかざし情報処理装置１００を見る場合の姿勢となっているか、ユーザが腕を下げる動作を行ったか、ユーザの腕振り（走行または歩行時に腕を振る動作）が検出されたか等、情報処理装置１００の使用状態を判定する。そして、状態判定部１１ｈは、情報処理装置１００が静止している、ユーザが情報処理装置１００を見る場合の姿勢となっていない、ユーザが腕を下げる動作を行った、あるいは、ユーザの腕振りが検出された等、情報処理装置１００がユーザに見られていない使用状態であると判定した場合、第１ＣＰＵ１１におけるＯＳの動作をシャットダウンして停止（即ち、第１ＣＰＵ１１に対する電源供給を停止）し、第２ＣＰＵ１２における時刻表示を行う状態（即ち、腕時計の機能のみを動作させる状態）に切り替える。なお、これらの使用状態は、例えば、各動作に対応するジャイロセンサ及び３軸加速度センサの信号パターンを記憶部１５に記憶しておき、検出された信号パターンとのマッチングを行うことで判定することができる。
【００３３】
また、状態判定部１１ｈは、電源部２３から入力される電池残量を示す信号に基づいて、電池残量が予め設定された閾値未満であるか否かを判定する。そして、状態判定部１１ｈは、電池残量が予め設定された閾値未満であると判定した場合、第１ＣＰＵ１１におけるＯＳの動作をシャットダウンして停止し、第２ＣＰＵ１２における時刻表示を行う状態に切り替える。
このような処理により、ユーザが情報処理装置１００の表示画面を見ていない場合や、情報処理装置１００の電池残量が少なくなった場合に、情報処理装置１００のスマートフォンに類する機能を停止し、腕時計の機能のみを動作させることができる。そのため、情報処理装置１００をより低消費電力で腕時計として機能させることが可能となる。
なお、状態判定部１１ｈが上記判定を行った場合以外にも、ユーザによってスマートフォンに類する機能を停止させる指示が入力された場合に、状態判定部１１ｈが、情報処理装置１００のスマートフォンに類する機能を停止し、腕時計の機能のみを動作させることとしてもよい。
【００３４】
また、図２に示すように、第２ＣＰＵ１２は、ハードウェア構成として、プログラムカウンタ１２ａと、制御部１２ｂとを備えている。また、第２ＣＰＵ１２は、特定のプログラムを実行することにより、計時部１２ｃと、表示処理部１２ｄとを構成する。
【００３５】
プログラムカウンタ１２ａは、第２ＣＰＵ１２内部に備えられるレジスタであり、次に実行されるプログラムが格納されたＲＯＭ１３のアドレスを記憶している。
制御部１２ｂは、第２ＣＰＵ１２内の各部（不図示のデコード回路や演算回路等）における動作タイミングや動作内容等、第２ＣＰＵ１２においてプログラムを実行するための動作を管理する。また、制御部１２ｂは、プログラムカウンタ１２ａに、次に実行されるプログラムが格納されたＲＯＭ１３のアドレスを逐次書き込む。
【００３６】
計時部１２ｃは、第１ＣＰＵ１１から入力される時刻信号に基づいて、時刻を計算する。そして、計時部１２ｃは、計算した時刻を第１ＣＰＵ１１に出力する。
また、第２ＣＰＵ１２は、第１ＣＰＵ１１を介さず、直接、ＲＴＣ部２１から所定タイミングで時刻信号を取得し、取得した時刻信号に基づいて計時部１２ｃで時刻を計算することができる。
表示処理部１２ｄは、計時部１２ｃの処理結果を表示する表示制御のための指示信号を第２表示制御部１８に出力する。
【００３７】
［動作］
次に、動作を説明する。
図３は、情報処理装置１００が実行する動作管理処理の流れを説明するフローチャートである。
また、図４（Ａ）及び図４（Ｂ）は、動作管理処理が実行される際の情報処理装置１００の表示画面例を示す模式図であり、図４（Ａ）は第１表示部１６ａにＯＳの処理による表示画面が表示された状態を示す図、図４（Ｂ）は第２表示部１６ｂに特定のプログラムの処理による表示画面が表示された状態を示す図である。
以下、図４を適宜参照しつつ、図３に示す動作管理処理について説明する。
動作管理処理は、情報処理装置１００の電源投入と共に開始され、情報処理装置１００の電源がオフとされるまで、繰り返し実行される。
動作管理処理の開始時には、第１ＣＰＵ１１がＯＳの処理を実行する状態となり、第１表示部１６ａにおいて、例えば、図４（Ａ）に示す表示画面（雨雲の動き及び気象情報に関するメッセージを表示する画面）が表示される。
【００３８】
ステップＳ１において、状態判定部１１ｈは、電源部２３から入力される電池残量を示す信号に基づいて、電池残量を取得する。
ステップＳ２において、状態判定部１１ｈは、電池残量が予め設定された閾値未満であるか否かを判定する。
電池残量が予め設定された閾値未満でない場合、ステップＳ２においてＮＯと判定されて、処理はステップＳ３に移行する。
一方、電池残量が予め設定された閾値未満である場合、ステップＳ２においてＹＥＳと判定されて、処理はステップＳ５に移行する。
【００３９】
ステップＳ３において、センサ情報取得部１１ｄは、センサ部２０に備えられた各種センサの検出信号を取得する。
ステップＳ４において、状態判定部１１ｈは、センサ情報取得部１１ｄによって取得された各種センサ（ジャイロセンサあるいは３軸加速度センサ等）の検出信号に基づいて、情報処理装置１００の状態がユーザに見られていない使用状態であるか否かを判定する。具体的には、情報処理装置１００が静止しているか（ユーザの腕に装着されていない状態か）、ユーザが腕をかざし情報処理装置１００を見る場合の姿勢となっているか、ユーザが腕を下げる動作を行ったか、ユーザの腕振り（走行または歩行時に腕を振る動作）が検出されたか等の状態が判定される。
情報処理装置１００がユーザに見られていない使用状態である場合、ステップＳ４においてＹＥＳと判定されて、処理はステップＳ５に移行する。
情報処理装置１００がユーザに見られていない使用状態でない場合、ステップＳ４においてＮＯと判定されて、処理はステップＳ１に移行する。
【００４０】
ステップＳ５において、状態判定部１１ｈは、第１ＣＰＵ１１におけるＯＳの動作をシャットダウンして停止し、第２ＣＰＵ１２における時刻表示を行う状態（即ち、腕時計の機能のみを動作させる状態）に切り替える。これにより、第２表示部１６ｂにおいて、例えば、図４（Ｂ）に示す表示画面（腕時計として時刻を表示する画面）が表示される。この後、第２ＣＰＵ１２は、腕時計としての機能（時刻表示）を継続して実行する。
【００４１】
ステップＳ６において、第２ＣＰＵ１２の制御部１２ｂは、ユーザによってＯＳの起動が指示されたか否か（即ち、第１ＣＰＵ１１の起動が指示されたか否か）の判定を行う。
ユーザによってＯＳの起動が指示された場合、ステップＳ６においてＹＥＳと判定されて、処理はステップＳ７に移行する。
ユーザによってＯＳの起動が指示されていない場合、ステップＳ６においてＮＯと判定されて、ステップＳ６の処理が繰り返される。
【００４２】
ステップＳ７において、第１ＣＰＵ１１の制御部１１ｂは、第１ＣＰＵ１１における起動のシーケンスを実行し、ＯＳを実行する状態に移行する。
ステップＳ７の後、動作管理処理が繰り返される。
なお、図３のフローチャートには図示していないが、ユーザによってスマートフォンに類する機能を停止させる指示が入力された場合にのみ、第１ＣＰＵ１１におけるＯＳの動作をシャットダウンして停止し、第２ＣＰＵ１２における時刻表示を行う状態（即ち、腕時計の機能のみを動作させる状態）に切り替えてもよい。
【００４３】
このような処理により、ユーザが情報処理装置１００の表示画面を見ていない場合や、情報処理装置１００の電池残量が少なくなった場合に、情報処理装置１００のスマートフォンに類する機能を停止し、腕時計の機能のみを動作させることができる。
そのため、情報処理装置１００をより低消費電力で腕時計として機能させることが可能となる。
即ち、ウェアラブルな情報処理装置をより低消費電力なものとすることができる。
なお、本実施形態において、第１ＣＰＵ１１がＯＳの処理を実行している状態においては第２ＣＰＵ１２に対する電源供給を停止しておき、第１ＣＰＵ１１におけるＯＳの動作をシャットダウンして停止し、第２ＣＰＵ１２における時刻表示を行う状態に切り替える際に、第２ＣＰＵ１２に対する電源供給を行うようにしてもよい。
【００４４】
［変形例１］
上述の実施形態では、情報処理装置１００が第１ＣＰＵ１１及び第２ＣＰＵ１２の２つのＣＰＵを備える構成とした。
これに対し、情報処理装置１００が１つのＣＰＵを備える場合にも、本発明を適用することが可能である。
この場合、１つのＣＰＵでＯＳ及び特定のプログラムを実行可能な構成とし、ＯＳを実行している状態で、特定のプログラムの処理に切り替える割り込み処理を発生させることにより、ＯＳの動作を止め、特定のプログラムを動作させる。具体的には、割り込み処理プログラムが、切り替え時点（割り込み発生時点）のＣＰＵのプログラムカウンタの値を、特定プログラムの先頭アドレスに書き換えることで、ＯＳを停止させ、特定のプログラムを実行させる。
これにより、１つのプロセッサの動作においても、情報処理装置１００のスマートフォンに類する機能を停止し、腕時計の機能のみを動作させることができる。
そのため、情報処理装置１００をより低消費電力で腕時計として機能させることが可能となる。
即ち、ウェアラブルな情報処理装置をより低消費電力なものとすることができる。
【００４５】
以上のように構成される情報処理装置１００は、状態判定部１１ｈを備える。
状態判定部１１ｈは、オペレーティングシステムによる情報処理装置１００の機能を実行する第１の実行処理と、動作中のオペレーティングシステムの動作を止め、情報処理装置１００の電源をＯＮ／ＯＦＦすることなく特定プログラムによる情報処理装置１００の特定の機能を実行する第２の実行処理と、を切り替える。
これにより、情報処理装置１００のオペレーティングシステムによる機能を停止し、特定プログラムによる特定の機能のみを動作させることができる。
そのため、情報処理装置１００をより低消費電力で特定の機能を動作させることが可能となる。
したがって、情報処理装置１００をより低消費電力なものとすることができる。
【００４６】
第２の実行処理は、第１の実行処理に比べ、低消費電力で実行可能な処理である。
これにより、消費電力が大きい処理を停止させ、より低消費電力な状態で情報処理装置１００を動作させることができる。
【００４７】
状態判定部１１ｈは、情報処理装置１００の状態判定を行い、当該状態判定結果に基づいて、第１の実行処理と第２の実行処理を切り替える。
これにより、情報処理装置１００の状態に応じて、低消費電力な状態へ移行するか否かを切り替えることができる。
【００４８】
情報処理装置１００は電池で動作する。
状態判定は、情報処理装置１００の電池の電池残量判定である。
状態判定部１１ｈは、電池残量が所定値以上の場合は、第１の実行処理により情報処理装置１００の機能を実行し、電池残量が所定値以上でない場合は、第２の実行処理により情報処理装置１００の特定の機能を実行する。
これにより、電池残量が少なくなった場合に、情報処理装置１００を低消費電力な状態へ移行することができる。
【００４９】
状態判定は、情報処理装置１００を保持するユーザの動作状態判定である。
状態判定部１１ｈは、ユーザの動作状態判定結果に基づいて、第１の実行処理と第２の実行処理とを切り替える。
これにより、ユーザによる情報処理装置１００の使用状態に応じて、情報処理装置１００を低消費電力な状態へ移行することができる。
【００５０】
状態判定部１１ｈは、ユーザの動作状態判定によりユーザが静止していると判定された場合は、第１の実行処理により情報処理装置１００の機能を実行し、ユーザが静止していないと判定された場合は、第２の実行処理により情報処理装置１００の特定の機能を実行する。
これにより、ユーザが静止しておらず、情報処理装置１００を見る以外の動作を行っていると推定される場合に、情報処理装置１００を低消費電力な状態へ移行することができる。
【００５１】
状態判定部１１ｈは、ユーザの動作状態判定によりユーザが情報処理装置１００を見ていると判定された場合は、第１の実行処理により情報処理装置１００の機能を実行し、ユーザが情報処理装置１００を見ていないと判定された場合は、第２の実行処理により情報処理装置１００の特定の機能を実行する。
これにより、ユーザが情報処理装置１００を見ているか否かに応じて、情報処理装置１００を適切に低消費電力な状態へと移行することができる。
【００５２】
情報処理は外部機器とデータ通信を行うものである。
第１の実行処理は、外部機器から受信したデータをデータ処理する。
これにより、第１の実行処理では、外部機器から受信したデータに基づく表示を行う等の処理負荷の大きい処理を行うものとできる。
【００５３】
データ処理は、外部機器から受信したデータを情報処理装置１００のユーザに通知する処理である。
これにより、第１の実行処理では、不規則に発生する処理あるいは定型的でない内容を含む処理を行うものとできる。
【００５４】
情報処理装置１００は第１表示部１６ａを備える。
第１の実行処理は、外部機器から受信したデータを第１表示部１６ａに表示することによりユーザに通知する。
これにより、第１の実行処理では、第１表示部１６ａを用いてユーザに対する通知を行うことができる。
【００５５】
特定の機能は時計機能である。
これにより、第２の実行処理では、時計の表示を低消費電力な処理によって行うことができる。
【００５６】
情報処理装置１００は第２表示部１６ｂを備える。
第２の実行処理は、第２表示部１６ｂを制御して現在時刻を第２表示部１６ｂで表示することにより、時計機能を実行する。
これにより、第２の実行処理では、第２表示部１６ｂを用いて時計の表示を行うことができる。
【００５７】
情報処理装置１００はＲＴＣ部２１を備える。
第２の実行処理は所定間隔でＲＴＣ部２１より現在時刻を取得し、取得した現在時刻を第２表示部１６ｂで表示することにより、時計機能を実行する。
これにより、第２の実行処理によって、ＲＴＣ部２１から取得した現在時刻を基に、低消費電力に時計の表示を行うことができる。
【００５８】
第２表示部１６ｂはセグメント表示の液晶表示部である。
これにより、低消費電力で表示が可能な液晶表示部によって、第２の実行処理による表示を行うことができる。
【００５９】
情報処理装置１００は第１ＣＰＵ１１と第２ＣＰＵ１２とを備える。
オペレーティングシステムは第１ＣＰＵ１１で動作する。
特定プログラムは第２ＣＰＵ１２で動作する。
これにより、情報処理装置１００においては、処理負荷の大きいオペレーティングシステムの処理を第１ＣＰＵ１１で第１の実行処理として実行し、処理負荷の小さい特定プログラムの処理を第２ＣＰＵ１２で第２の実行処理として実行することができる。そのため、より効率的な処理を行うことが可能となり、情報処理装置１００を低消費電力化することができる。
【００６０】
状態判定部１１ｈは、第１ＣＰＵ１１への電源供給を停止することにより、オペレーティングシステムの動作を止める。
これにより、第１ＣＰＵ１１において消費電力が発生しない状態とすることができ、情報処理装置１００を低消費電力化することができる。
【００６１】
第２ＣＰＵ１２の消費電力は、第１ＣＰＵ１１の消費電力より少ない。
これにより、第１ＣＰＵ１１が動作を停止し、第２ＣＰＵ１２のみが動作する場合に、より低消費電力な状態とすることができる。
【００６２】
情報処理装置１００はＣＰＵを備える。
オペレーティングシステムと特定プログラムはＣＰＵで動作する。
オペレーティングシステムの動作を止め、特定プログラムによる情報処理装置１００の特定の機能の実行に切り替える操作をトリガとして起動する割込み処理プログラムが、切り替え時点のＣＰＵのプログラムカウンタの値を、特定プログラムの先頭アドレスに書き換えることにより、オペレーティングシステムの動作を止め、特定プログラムが動作するように制御する。
これにより、１つのＣＰＵの動作においても、情報処理装置１００のオペレーティングシステムの動作を停止し、特定の機能のみを動作させることができる。
そのため、情報処理装置１００をより低消費電力なものとできる。
【００６３】
情報処理装置１００は、ウェアラブル型情報処理装置である。
これにより、電池によって駆動されるウェアラブル型の装置において、適切に低消費電力化を図ることができる。
【００６４】
情報処理装置１００は、腕時計型情報処理装置である。
これにより、スマートウォッチとして実現される情報処理装置１００において、スマートフォンに類する機能を実装しつつ、腕時計として、より長時間駆動することが可能となる。
【００６５】
なお、本発明は、上述の実施形態に限定されるものではなく、本発明の目的を達成できる範囲での変形、改良等は本発明に含まれるものである。
例えば、第１ＣＰＵ１１によって制御可能なハードウェア及び第２ＣＰＵ１２によって制御可能なハードウェアは、上述の実施形態において示す例の他、情報処理装置１００の主に想定される使用形態に応じて、種々異なるものとできる。
【００６６】
また、第１ＣＰＵ１１及び第２ＣＰＵ１２以外に備えられるハードウェアを上述の実施形態に示す例とは異なるものとしてもよい。例えば、第１ＣＰＵ１１及び第２ＣＰＵ１２それぞれにおいて想定される処理に必要なメモリ容量に応じて、第１ＣＰＵ１１の処理のためのＲＡＭ及び第２ＣＰＵ１２の処理のためのＲＡＭをそれぞれ備え、第１ＣＰＵ１１の処理のためのＲＡＭの動作を、第１ＣＰＵ１１の動作の停止と共に停止させることとしてもよい。これにより、第１ＣＰＵ１１の処理においてのみ使用されるＲＡＭを駆動する電力を低減することができ、情報処理装置１００をより低消費電力化することができる。
【００６７】
また、上述の実施形態においては、情報処理装置１００が第１ＣＰＵ１１及び第２ＣＰＵ１２の２つのＣＰＵを備える場合を例に挙げて説明したが、情報処理装置１００が備えるＣＰＵの数を３つ以上とすることも可能である。例えば、ＯＳを２つ以上のＣＰＵで動作させることとしてもよい。
【００６８】
また、上述の実施形態では、第１ＣＰＵ１１におけるＯＳの動作を停止する形態として、ＯＳをシャットダウンする場合を例に挙げて説明したが、ＯＳの動作を停止する形態は、これに限られない。例えば、ＯＳの動作を停止する形態として、ＯＳは起動した状態としつつ、ＯＳの管理下で動作する機能を停止させることとしてもよい。一例として、ＯＳは起動した状態としつつ、第１表示部１６ａによる表示機能を停止させることとしてもよい。この場合、ハードウェアについては、第１表示部１６ａ及び第１表示制御部１７の機能を停止させることができる。
これにより、ＯＳの動作を再開させるために要する時間を短縮しつつ、情報処理装置１００の低消費電力化を図ることができる。
【００６９】
また、上述の実施形態において、第２ＣＰＵ１２で実行される特定のプログラムの機能は、時計としての機能を実現できる最小の機能とすることができる。例えば、１秒あるいは１分毎等、所定時間毎に、ＲＴＣ部２１からの時刻信号（現在時刻）を取得する、あるいは、第２ＣＰＵ１２において時刻をカウントする等して、第２表示部１６ｂにおける時刻の表示を更新する機能とすることができる。
これにより、第２ＣＰＵ１２で実行される特定のプログラムの処理を処理負荷がより小さいものとでき、情報処理装置１００の消費電力をより低減することができる。
【００７０】
また、上述の実施形態では、本発明が適用される情報処理装置１００は、ウェアラブルな情報処理装置を例として説明したが、特にこれに限定されない。
例えば、本発明は、情報処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００７１】
また、上述の実施形態において、第２表示部１６ｂをＰＮ型液晶パネルであるものとして説明したが、これに限られない。第２表示部１６ｂは、液晶に印加する電位に応じて、光を透過する状態となる表示デバイスであればよく、例えば、ＰＮ型以外の高分子分散（ＰＤ：Ｐｏｌｙｍｅｒ  Ｄｉｓｐｅｒｓｅｄ）型液晶パネル、有機ＥＬ（Ｅｌｅｃｔｒｏ−Ｌｕｍｉｎｅｓｃｅｎｃｅ）パネル、無機ＥＬパネル、ＴＦＴ液晶パネル等の透過型の表示デバイスを用いることができる。
【００７２】
また、上述の実施形態において、第２表示部１６ｂを第１表示部１６ａの表示画面上に積層するものとして説明したが、これに限られない。即ち、第１表示部１６ａを透過型の表示デバイスで構成することにより、第１表示部１６ａを第２表示部１６ｂの表示画面上に積層することも可能である。
【００７３】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が情報処理装置１００に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００７４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７５】
このようなプログラムを含む記録媒体は、ユーザにプログラムを提供するために装置本体とは別に配布されるリムーバブルメディアにより構成されるだけでなく、装置本体に予め組み込まれた状態でユーザに提供される記録媒体等で構成される。リムーバブルメディアは、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１３や、図２の記憶部１５に含まれるハードディスク等で構成される。
【００７６】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００７７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００７８】
以下に、本願の出願当初の特許請求の範囲に記載された発明を付記する。
［付記１］
情報処理装置であって、
オペレーティングシステムによる当該情報処理装置の機能を実行する第１の実行処理と、動作中の前記オペレーティングシステムの動作を止め、当該情報処理装置の電源をＯＮ／ＯＦＦすることなく特定プログラムによる当該情報処理装置の特定の機能を実行する第２の実行処理と、を切り替える切替手段を備えることを特徴とする情報処理装置。
［付記２］
前記第２の実行処理は、前記第１の実行処理に比べ、低消費電力で実行可能な処理であることを特徴とする付記１に記載の情報処理装置。
［付記３］
前記切替手段は、当該情報処理装置の状態判定を行い、当該状態判定結果に基づいて、前記第１の実行処理と前記第２の実行処理を切り替えることを特徴とする付記１または２に記載の情報処理装置。
［付記４］
当該情報処理装置は電池で動作し、
前記状態判定は、当該情報処理装置の前記電池の電池残量判定であり、
前記切替手段は、
電池残量が所定値以上の場合は、前記第１の実行処理により当該情報処理装置の機能を実行し、
電池残量が前記所定値以上でない場合は、前記第２の実行処理により当該情報処理装置の特定の機能を実行することを特徴とする付記３に記載の情報処理装置。
［付記５］
前記状態判定は、当該情報処理装置を保持するユーザの動作状態判定であり、
前記切替手段は、ユーザの動作状態判定結果に基づいて、前記第１の実行処理と前記第２の実行処理とを切り替えることを特徴とする付記３または４に記載の情報処理装置。
［付記６］
前記切替手段は、
ユーザの動作状態判定によりユーザが静止していると判定された場合は、前記第１の実行処理により当該情報処理装置の機能を実行し、
ユーザが静止していないと判定された場合は、前記第２の実行処理により当該情報処理装置の特定の機能を実行することを特徴とする付記５に記載の情報処理装置。
［付記７］
前記切替手段は、
ユーザの動作状態判定によりユーザが当該情報処理装置を見ていると判定された場合は、前記第１の実行処理により当該情報処理装置の機能を実行し、
ユーザが当該情報処理装置を見ていないと判定された場合は、前記第２の実行処理により当該情報処理装置の特定の機能を実行することを特徴とする付記５または６に記載の情報処理装置。
［付記８］
当該情報処理は外部機器とデータ通信を行い、
前記第１の実行処理は、前記外部機器から受信したデータをデータ処理することを特徴とする付記１から７のいずれか１つに記載の情報処理装置。
［付記９］
前記データ処理は、前記外部機器から受信したデータを当該情報処理装置のユーザに通知することを特徴とする付記８に記載の情報処理装置。
［付記１０］
当該情報処理装置は第１の表示部を備え、
前記第１の実行処理は、前記外部機器から受信したデータを前記第１の表示部に表示することによりユーザに通知することを特徴とする付記９に記載の情報処理装置。
［付記１１］
前記特定の機能は時計機能であることを特徴とする付記１から１０のいずれか１つに記載の情報処理装置。
［付記１２］
当該情報処理装置は第２の表示部を備え、
前記第２の実行処理は、前記第２の表示部を制御して現在時刻を当該第２の表示部で表示することにより、前記時計機能を実行することを特徴とする付記１１に記載の情報処理装置。
［付記１３］
当該情報処理装置はＲＴＣ（Ｒｅａｌ  Ｔｉｍｅ  Ｃｌｏｃｋ）を備え、
前記第２の実行処理は所定間隔で前記ＲＴＣより現在時刻を取得し、取得した現在時刻を前記第２の表示部で表示することにより、前記時計機能を実行することを特徴とする付記１２に記載の情報処理装置。
［付記１４］
前記第２の表示部はセグメント表示の液晶表示部であることを特徴とする付記１２または１３に記載の情報処理装置。
［付記１５］
当該情報処理装置は第１のＣＰＵと第２のＣＰＵとを備え、
前記オペレーティングシステムは前記第１のＣＰＵで動作し、
前記特定プログラムは前記第２のＣＰＵで動作することを特徴とする付記１から１４のいずれか１つに記載の情報処理装置。
［付記１６］
前記切替手段は、前記第１のＣＰＵへの電源供給を停止することにより、前記オペレーティングシステムの動作を止めることを特徴とする付記１５に記載の情報処理装置。
［付記１７］
前記第２のＣＰＵの消費電力は、前記第１のＣＰＵの消費電力より少ないことを特徴とする付記１５または１６に記載の情報処理装置。
［付記１８］
当該情報処理装置はＣＰＵを備え、
前記オペレーティングシステムと前記特定プログラムは前記ＣＰＵで動作し、
前記オペレーティングシステムの動作を止め、前記特定プログラムによる当該情報処理装置の特定の機能の実行に切り替える操作をトリガとして起動する割込み処理プログラムが、切り替え時点の前記ＣＰＵのプログラムカウンタの値を、前記特定プログラムの先頭アドレスに書き換えることにより、前記オペレーティングシステムの動作を止め、前記特定プログラムが動作するように制御することを特徴とする付記１から１４のいずれか１つに記載の情報処理装置。
［付記１９］
当該情報処理装置は、ウェアラブル型情報処理装置であることを特徴とする付記１から１８のいずれか１つに記載の情報処理装置。
［付記２０］
当該情報処理装置は、腕時計型情報処理装置であることを特徴とする付記１９に記載の情報処理装置。
［付記２１］
情報処理装置の制御方法であって、
オペレーティングシステムによる当該情報処理装置の機能を実行する第１の実行処理と、動作中の前記オペレーティングシステムの動作を止め、当該情報処理装置の電源をＯＮ／ＯＦＦすることなく特定プログラムによる当該情報処理装置の特定の機能を実行する第２の実行処理と、を切り替え可能であることを特徴とする制御方法。
［付記２２］
情報処理装置を制御するコンピュータに、
オペレーティングシステムによる当該情報処理装置の機能を実行する第１の実行処理と、動作中の前記オペレーティングシステムの動作を止め、当該情報処理装置の電源をＯＮ／ＯＦＦすることなく特定プログラムによる当該情報処理装置の特定の機能を実行する第２の実行処理と、を切り替える切替機能を実現させることを特徴とするプログラム。
【符号の説明】
【００７９】
１・・・本体部，２・・・バンド部，１００・・・情報処理装置，１１・・・第１ＣＰＵ，１１ａ，１２ａ・・・プログラムカウンタ，１１ｂ，１２ｂ・・・制御部，１１ｃ・・・時刻取得部，１１ｄ・・・センサ情報取得部，１１ｅ・・・表示処理部，１１ｆ・・・連携処理部，１１ｇ・・・通信処理部，１１ｈ・・・状態判定部，１２・・・第２ＣＰＵ，１２ｃ・・・計時部，１２ｄ・・・表示処理部，１３・・・ＲＯＭ，１４・・・ＲＡＭ，１５・・・記憶部，１６・・・表示部，１６ａ・・・第１表示部，１６ｂ・・・第２表示部，１７・・・第１表示制御部，１８・・・第２表示制御部，１９・・・操作部，２０・・・センサ部，２１・・・ＲＴＣ部，２２・・・通信部，２３・・・電源部
【図１】
2018136993.tif 000003
【図２】
2018136993.tif 000004
【図３】
2018136993.tif 000005
【図４】
2018136993.tif 000006
【手続補正書】
【提出日】平成30年5月22日(2018.5.22)
【手続補正１】
【補正対象書類名】明細書
【補正対象項目名】０００４
【補正方法】変更
【補正の内容】
【０００４】
しかしながら、特許文献１におけるスマートウォッチは、１つの表示部に各種情報を表示させるため表示の多様性に乏しかった。
【手続補正２】
【補正対象書類名】明細書
【補正対象項目名】０００５
【補正方法】変更
【補正の内容】
【０００５】
本発明は、このような状況に鑑みてなされたものであり、情報処理装置における表示に多様性を持たせることを目的とする。
【手続補正３】
【補正対象書類名】明細書
【補正対象項目名】０００６
【補正方法】変更
【補正の内容】
【０００６】
上記目的を達成するため、本発明の一態様の情報処理装置は、
第１の表示部と、前記第１の表示部の上層に積層され、電位を掛けることにより光を透過可能な第２の表示部と、を備えた情報処理装置であって、前記第１の表示部は第１の実行処理により表示制御され、前記第２の表示部は第２の実行処理により表示制御され、前記第２の実行処理は、前記第２の表示部への表示と、前記第２の表示部に電位を掛けて当該第２の表示部を透過状態にすること、を選択的に実行し、前記第１の実行処理による前記第１の表示部への表示制御中は、前記第２の実行処理が、前記第２の表示部に電位を掛けて当該第２の表示部を透過状態にして、前記第１の表示部による表示を視認可能とする、ことを特徴とする。
【手続補正４】
【補正対象書類名】明細書
【補正対象項目名】０００７
【補正方法】変更
【補正の内容】
【０００７】
本発明によれば、情報処理装置における表示に多様性を持たせることができる。
【手続補正５】
【補正対象書類名】特許請求の範囲
【補正対象項目名】全文
【補正方法】変更
【補正の内容】
【特許請求の範囲】
【請求項１】
第１の表示部と、前記第１の表示部の上層に積層され、電位を掛けることにより光を透過可能な第２の表示部と、を備えた情報処理装置であって、
前記第１の表示部は第１の実行処理により表示制御され、
前記第２の表示部は第２の実行処理により表示制御され、
前記第２の実行処理は、前記第２の表示部への表示と、前記第２の表示部に電位を掛けて当該第２の表示部を透過状態にすること、を選択的に実行し、
前記第１の実行処理による前記第１の表示部への表示制御中は、前記第２の実行処理が、前記第２の表示部に電位を掛けて当該第２の表示部を透過状態にして、前記第１の表示部による表示を視認可能とする、
ことを特徴とする情報処理装置。
【請求項２】
前記第１の実行処理は、オペレーティングシステムにより当該情報処理装置の機能を実行し、
前記第２の実行処理は、特定プログラムにより当該情報処理装置の特定の機能を実行する、
ことを特徴とする請求項１に記載の情報処理装置。
【請求項３】
前記オペレーティングシステムの動作が止まっている状態では、前記第２の実行処理は、前記特定の機能の実行結果を前記第２の表示部に表示することを特徴とする請求項２に記載の情報処理装置。
【請求項４】
前記第２の実行処理は、前記第１の実行処理に比べ、低消費電力で実行可能な処理であることを特徴とする請求項１から３のいずれか１項に記載の情報処理装置。
【請求項５】
前記第１の実行処理と前記第２の実行処理を切り替える切替処理を実行することを特徴とする請求項１から３のいずれか１項に記載の情報処理装置。
【請求項６】
前記切替処理は、当該情報処理装置の状態判定を行い、当該状態判定結果に基づいて、前記第１の実行処理と前記第２の実行処理を切り替えることを特徴とする請求項５に記載の情報処理装置。
【請求項７】
当該情報処理装置は電池で動作し、
前記状態判定は、当該情報処理装置の前記電池の電池残量判定であり、
前記切替処理は、
電池残量が所定値以上の場合は、前記第１の実行処理に切り替え、
電池残量が前記所定値以上でない場合は、前記第２の実行処理に切り替える、
ことを特徴とする請求項６に記載の情報処理装置。
【請求項８】
前記状態判定は、当該情報処理装置を保持するユーザの動作状態判定であり、
前記切替処理は、ユーザの動作状態判定結果に基づいて、前記第１の実行処理と前記第２の実行処理とを切り替えることを特徴とする請求項６または７に記載の情報処理装置。
【請求項９】
前記切替処理は、
ユーザの動作状態判定によりユーザが静止していると判定された場合は、前記第１の実行処理に切り替え、
ユーザが静止していないと判定された場合は、前記第２の実行処理に切り替える、
ことを特徴とする請求項８に記載の情報処理装置。
【請求項１０】
前記切替処理は、
ユーザの動作状態判定によりユーザが当該情報処理装置を見ていると判定された場合は、前記第１の実行処理に切り替え、
ユーザが当該情報処理装置を見ていないと判定された場合は、前記第２の実行処理に切り替える、
ことを特徴とする請求項８または９に記載の情報処理装置。
【請求項１１】
当該情報処理装置は外部機器とデータ通信を行い、
前記第１の実行処理は、前記外部機器から受信したデータをデータ処理することを特徴とする請求項１から１０のいずれか１項に記載の情報処理装置。
【請求項１２】
前記データ処理は、前記外部機器から受信したデータを当該情報処理装置のユーザに通知することを特徴とする請求項１１に記載の情報処理装置。
【請求項１３】
前記第１の実行処理は、前記外部機器から受信したデータを前記第１の表示部に表示することによりユーザに通知することを特徴とする請求項１２に記載の情報処理装置。
【請求項１４】
前記第２の実行処理は、時計機能を実行することを特徴とする請求項１から１３のいずれか１項に記載の情報処理装置。
【請求項１５】
前記第２の実行処理は、前記第２の表示部を制御して現在時刻を当該第２の表示部で表示することにより、前記時計機能を実行することを特徴とする請求項１４に記載の情報処理装置。
【請求項１６】
当該情報処理装置はＲＴＣ（Ｒｅａｌ  Ｔｉｍｅ  Ｃｌｏｃｋ）を備え、
前記第２の実行処理は所定間隔で前記ＲＴＣより現在時刻を取得し、取得した現在時刻を前記第２の表示部で表示することにより、前記時計機能を実行することを特徴とする請求項１５に記載の情報処理装置。
【請求項１７】
前記第２の表示部はセグメント表示のＰＮ（Ｐｏｌｙｍｅｒ  Ｎｅｔｗｏｒｋ）液晶表示部であることを特徴とする請求項１から１６のいずれか１項に記載の情報処理装置。
【請求項１８】
当該情報処理装置は第１のＣＰＵと第２のＣＰＵとを備え、
前記第１の実行処理は前記第１のＣＰＵで動作し、
前記第２の実行処理は前記第２のＣＰＵで動作することを特徴とする請求項１から１７のいずれか１項に記載の情報処理装置。
【請求項１９】
前記切替処理は、前記第１のＣＰＵと前記第２のＣＰＵを切り替えることを特徴とする請求項１８に記載の情報処理装置。
【請求項２０】
前記第２のＣＰＵの消費電力は、前記第１のＣＰＵの消費電力より少ないことを特徴とする請求項１９に記載の情報処理装置。
【請求項２１】
当該情報処理装置はＣＰＵを備え、
前記第１の実行処理と前記第２の実行処理は前記ＣＰＵで動作することを特徴とする請求項１から１７のいずれか１項に記載の情報処理装置。
【請求項２２】
当該情報処理装置は、ウェアラブル型情報処理装置であることを特徴とする請求項１から２１のいずれか１項に記載の情報処理装置。
【請求項２３】
当該情報処理装置は、腕時計型情報処理装置であることを特徴とする請求項２２に記載の情報処理装置。
【請求項２４】
第１の表示部と、前記第１の表示部の上層に積層され、電位を掛けることにより光を透過可能な第２の表示部と、を備えた情報処理装置の制御方法であって、
前記第１の表示部は第１の実行処理により表示制御され、
前記第２の表示部は第２の実行処理により表示制御され、
前記第２の実行処理は、前記第２の表示部への表示と、前記第２の表示部に電位を掛けて当該第２の表示部を透過状態にすること、を選択的に実行し、
前記第１の実行処理による前記第１の表示部への表示制御中は、前記第２の実行処理が、前記第２の表示部に電位を掛けて当該第２の表示部を透過状態にして、前記第１の表示部による表示を視認可能とする、
ことを特徴とする制御方法。
【請求項２５】
第１の表示部と、前記第１の表示部の上層に積層され、電位を掛けることにより光を透過可能な第２の表示部と、を備えた情報処理装置を制御するコンピュータに、
第１の実行処理により前記第１の表示部を表示制御し、
第２の実行処理により前記第２の表示部を表示制御し、
前記第２の実行処理は、前記第２の表示部への表示と、前記第２の表示部に電位を掛けて当該第２の表示部を透過状態にすること、を選択的に実行し、
前記第１の実行処理による前記第１の表示部への表示制御中は、前記第２の実行処理が、前記第２の表示部に電位を掛けて当該第２の表示部を透過状態にして、前記第１の表示部による表示を視認可能とする、
ように動作させることを特徴とするプログラム。